(57)【要約】【課題】ドリルにより開けられた貫通孔を利用して、錠箱内の施解錠機構を作動させる不正な解錠操作を阻止する防御構造を提供し、施錠装置の防犯性を向上させる。【解決手段】シリンダ錠からの施解錠操作力の入力によって、錠箱１１内の施解錠機構を作動させて扉枠側のストライクに対しデッドボルト１５を進退させる防御構造１００であって、錠箱１１が、扉屋外板と施解錠機構との間に防御側板５１を備え、防御側板５１が、デッドボルト１５の移動軌跡と重なる領域、及びこのデッドボルトとシリンダ錠との連動連結部分となる施解錠機構の一部と重なる領域に中空部を有する枠板と、枠板を表裏から挟む一対の挟持板とからなり、中空部には、穿孔阻止部材６５が収容充填される。【選択図】      図１
2007231568.tif 000002
【特許請求の範囲】
【請求項１】
シリンダ錠からの施解錠操作力の入力によって、錠箱内の施解錠機構を作動させて扉枠側のストライクに対しデッドボルトを進退させる錠の防御構造であって、
前記錠箱が収容される扉の屋外板と前記施解錠機構との間に防御側板を備え、
該防御側板には穿孔阻止部材が備えられ、
該穿孔阻止部材は、少なくとも前記デッドボルトの移動軌跡と、該デッドボルトと前記シリンダ錠との連動連結部分となる前記施解錠機構の一部と重なる領域に被覆配置されたことを特徴とする錠の防御構造。
【請求項２】
前記防御側板が、前記錠箱の側板を兼ねることを特徴とする請求項１記載の錠の防御構造。
【請求項３】
前記防御側板は、前記穿孔阻止部材が収容される中空部を有する枠板と、該枠板を表裏から挟む一対の挟持板とからなることを特徴とする請求項１又は２記載の錠の防御構造。
【請求項４】
前記穿孔阻止部材の厚さと、前記枠板の厚さとが略同等に設定され、前記穿孔阻止部材が前記中空部に充填されていることを特徴とする請求項３記載の錠の防御構造。
【請求項５】
前記穿孔阻止部材が、硬質鋼材からなる断面円形状のピンを複数並べてなることを特徴とする請求項１，２，３，４のいずれか１つに記載の錠の防御構造。
【請求項６】
前記穿孔阻止部材が、硬質鋼材からなる球体を複数並べてなることを特徴とする請求項１，２，３，４のいずれか１つに記載の錠の防御構造。
【請求項７】
前記穿孔阻止部材が、硬質鋼材からなる線状部材を編成又は織成してなる略シート状部材よりなることを特徴とする請求項１，２，３，４のいずれか１つに記載の錠の防御構造。
【発明の詳細な説明】
【技術分野】
【０００１】
本発明は、デッドボルトを進退させる施解錠機構が内設された錠箱に関し、特に、ドリルにより開けた貫通孔から施解錠機構を作動させる不正解錠を阻止する錠の防御構造に関する。
【背景技術】
【０００２】
住宅、マンション、アパート等に設けられる施錠装置は、一般的に扉に錠箱を内蔵している。錠箱にはロック部材である例えばデッドボルトが扉木口から進退自在に設けられる。施錠装置は、屋外側に露出したシリンダ錠の鍵孔に、合鍵を挿入して回転操作することによって、扉木口よりデッドボルトが進退され、建物躯体側の扉枠に設けたストライクに対して施解錠が行われる。また、屋内側からは、サムターンが回転操作されるのみで、デッドボルトが進退され、扉の施解錠が簡便に行えるようになっている。
【０００３】
シリンダ錠は、一般的に固定筒に内設される外筒と、この外筒に回動自在な内筒とを有し、外筒と内筒とには、両者に亘ってピン挿入孔が穿設されている。このピン挿入孔には、外筒側ピン挿入孔にドライバピン、内筒側ピン挿入孔にはタンブラピンが収容され、合鍵が内筒のキー孔に挿入されることで、合鍵のキー溝に一致した位置にタンブラピンが配置され、その結果、タンブラピンとドライバピンとの境が、内筒外周と外筒内周との境界、すなわち、シアーラインに一致することで、内筒が外筒に対して回動可能となる。合鍵により内筒が回動されると、内筒の後部に設けられ内筒と一体回転する連結部材（テールピース）が錠箱の施解錠機構に回転力を入力し、デッドボルトを進退させる。
【０００４】
ところが、従来のシリンダ錠は、前端面の殆どが化粧リングの前面板等によって覆われているものの、その前面板の背面には、外筒の前端面や固定筒の前端面が同心円状に存在しているため、円筒状の穴開工具であるホールソーを用い、特に外筒の前端面から円筒状の切り込みを入れれば、シリンダ錠機構の破壊若しくは内筒の抜き取り等による破壊的な不正解錠が可能となる問題を包含していた。
【０００５】
そこで、固定筒の先端に、硬質鋼材からなるピンを半径方向に埋入し、ホールソーを用いて固定筒の前端面に円筒状の切り込みを入れようとしても、所定の切り込みを入れた時点でホールソーの刃部をピンに当て、それ以上のホールソーの切り込みを阻止する防犯性の高いシリンダ錠が開発されている。
【発明の開示】
【発明が解決しようとする課題】
【０００６】
上記のように、合鍵により内筒が回動されると、内筒の後部に設けられ内筒と一体回転するテールピースが錠箱の施解錠機構に回転力を入力し、デッドボルトを進退させる。錠箱にはダルマ軸が設けられ、このダルマ軸にシリンダー錠の連結部であるテールピースが係合される。デッドボルトが突出された状態（すなわち、施錠状態）で、テールピースが解錠方向へ回転されると、ダルマ軸も同方向へと回転され、ダルマ軸の外周に突設された押杆を介してデッドボルトの切欠部を押圧し、デッドボルトを錠箱内へ後退（すなわち、解錠）させるようになっている。
しかしながら、近年、上記した対策の取られた防犯性の高いシリンダ錠を備える施錠装置では、シリンダ錠近傍の扉屋外面からドリルを用いて錠箱側板に貫通孔を開け、当該貫通孔から棒等を挿入して、デッドボルトの切欠部等を押圧するなどして、デッドボルトを直接錠箱内へ後退させる不正解錠、所謂カム送りが報告されている。
【０００７】
本発明は上記状況に鑑みてなされたもので、ドリルにより開けられた貫通孔を利用して、錠箱内の施解錠機構を作動させる不正な解錠操作を阻止する錠箱を構成するよう錠の防御構造を提供し、もって、施錠装置の防犯性向上を図ることを目的とする。
【課題を解決するための手段】
【０００８】
次に、上記の課題を解決するための手段を、実施の形態に対応する図面を参照して説明する。
本発明の請求項１記載の錠の防御構造は、シリンダ錠からの施解錠操作力の入力によって、錠箱１１内の施解錠機構１３を作動させて扉枠側のストライクに対しデッドボルト１５を進退させる錠の防御構造１００であって、
前記錠箱１１が収容される扉４７の屋外板と前記施解錠機構１３との間に防御側板５１を備え、
該防御側板５１には穿孔阻止部材６５が備えられ、
該穿孔阻止部材６５は、少なくとも前記デッドボルト１５の移動軌跡と、該デッドボルト１５と前記シリンダ錠との連動連結部分となる前記施解錠機構１３の一部と重なる領域に被覆配置されたことを特徴とする。
【０００９】
この錠の防御構造１００では、カム送りのための貫通孔を穿孔するために、扉の屋外板にドリルで切り込みが入れられ、ドリル先端が防御側板５１に達しても、屋外板を貫通した後、穿孔阻止部材６５に当接し、穿孔阻止部材６５によってそれ以上の孔開けが阻止される。
【００１０】
請求項２記載の錠の防御構造は、前記防御側板５１が、前記錠箱１１の側板を兼ねることを特徴とする。
【００１１】
この錠の防御構造では、防御側板５１が、錠箱１１と一体構造となり、施解錠装置としての取り扱いが容易なものとなり、扉への取付施工が容易なものとなる。
【００１２】
請求項３記載の錠の防御構造は、前記防御側板５１は、前記穿孔阻止部材６５が収容される中空部５３ａを有する枠板５３と、該枠板５３を表裏から挟む一対の挟持板５５ａ，５５ｂとからなることを特徴とする。
【００１３】
この錠の防御構造では、カム送りのための貫通孔を穿孔するために、扉の屋外板にドリルで切り込みが入れられ、ドリル先端が防御側板５１に達しても、屋外板を貫通し、屋外側の挟持板５５ａを貫通した後、穿孔阻止部材６５に当接し、穿孔阻止部材６５によってそれ以上の孔開けが阻止される。
【００１４】
請求項４記載の錠の防御構造は、前記穿孔阻止部材６５の厚さと、前記枠板５３の厚さとが略同等に設定され、前記穿孔阻止部材６５が前記中空部５３ａに充填されていることを特徴とする。
【００１５】
この錠の防御構造では、枠板５３の中空部５３ａに、穿孔阻止部材６５が隙間なく配置されることとなり、上記のようなドリルによる切り込みがあっても、それが侵入する隙間を形成せず、それ以上の孔開けが阻止される。
【００１６】
請求項５記載の錠の防御構造は、前記穿孔阻止部材６５が、硬質鋼材からなる断面円形状のピン６７を複数並べてなることを特徴とする。
【００１７】
この錠の防御構造では、ドリルの先端がピン６７の外周に当接すると、硬質かつ曲面となったピン外周面により、ドリル先端が外周面に沿って滑り、ピン同士間の密着により形成される湾曲Ｖ溝内に入る。湾曲Ｖ溝内に入ったドリル先端は、今度は溝の延在方向に沿って滑り、ピン６７を切断できず、結局、穿孔阻止部材６５、すなわち、防御側板５１を貫通できない。
【００１８】
請求項６記載の錠の防御構造２００は、前記穿孔阻止部材６５Ｃが、硬質鋼材からなる球体７１を複数並べてなることを特徴とする。
【００１９】
この錠の防御構造２００では、ドリルの先端が球体７１の外周に当接すると、硬質かつ球面となった球体外周により、ドリル先端が外周面に沿って滑り、少なくとも３つの球体同士間の密着により形成される湾曲凹部内に入る。湾曲凹部内に入ったドリルが回転されても、ドリル先端に接触する３つの球体７１がドリルの回転に伴って回転し、球体７１を切り欠けず、結局、穿孔阻止部材６５Ｃ、すなわち、防御側板５１Ｃを貫通できない。
【００２０】
請求項７記載の錠の防御構造３００は、前記穿孔阻止部材６５Ｄが、硬質鋼材からなる線状部材７３を編成又は織成してなる略シート状部材７５よりなることを特徴とする。
【００２１】
この錠の防御構造３００では、ドリルの先端がシート状部材７５の表面に当接すると、編成又は織成により形成されて、互いの間隔が密となった線状部材７３により、この線状部材７３が、硬質、かつ上下交互に組まれることで強靱となった表面により、ドリル先端が滑り、或いは線状部材同士間の格子凹部すなわち編目や織目内に入る。編目又は織目内に入ったドリルが回転されても、ドリル先端はシート状となった部材７５を切り欠けず、或いは絡まってしまい、結局、穿孔阻止部材６５Ｄ、すなわち、防御側板５１Ｄを貫通できない。
【発明の効果】
【００２２】
本発明に係る請求項１記載の錠の防御構造によれば、錠箱が、扉屋外板と施解錠機構との間に防御側板を備え、防御側板が、少なくともデッドボルトの移動軌跡と重なる領域及びこのデッドボルトとシリンダ錠との連動連結部分となる施解錠機構の一部と重なる領域に穿孔阻止部材を備えるので、カム送りのための貫通孔を穿孔するために、扉屋外板にドリルで切り込みを入れ、ドリル先端が防御側板に達すると、屋外板を貫通した後、穿孔阻止部材に当接し、穿孔阻止部材によってそれ以上の孔開けが阻止される。この結果、ドリルにより開けられた貫通孔を利用して、錠箱内の施解錠機構を作動させる不正な解錠操作、所謂カム送りを阻止でき、施錠装置の防犯性を向上させることができる。
【００２３】
請求項２記載の錠の防御構造によれば、防御側板が、錠箱と一体構造となり、施解錠装置としての取り扱いが容易なものとなり、すなわち、扉への取付施工が容易なものとなる。これにより、扉に取り付けられた錠装置は、防犯性を向上されたものとなる。
【００２４】
請求項３記載の錠の防御構造によれば、錠箱が、扉屋外板と施解錠機構との間に防御側板を備え、防御側板が、デッドボルトの移動軌跡と重なる領域及びこのデッドボルトとシリンダ錠との連動連結部分となる施解錠機構の一部と重なる領域に穿孔阻止部材を備えるので、カム送りのための貫通孔を穿孔するために、扉屋外板にドリルで切り込みを入れ、ドリル先端が防御側板に達すると、屋外側の挟持板を貫通した後、穿孔阻止部材に当接し、穿孔阻止部材によってそれ以上の孔開けが阻止される。この結果、ドリルにより開けられた貫通孔を利用して、錠箱内の施解錠機構を作動させる不正な解錠操作、所謂カム送りを阻止でき、施錠装置の防犯性を向上させることができる。
【００２５】
請求項４記載の錠の防御構造によれば、枠板の中空部に、穿孔阻止部材が略隙間なく配置されることとなり、上記のようなドリルによる切り込みがあっても、それが侵入する隙間を容易に形成することがなく、そして、それ以上の孔開けが阻止される。
【００２６】
請求項５記載の錠の防御構造によれば、穿孔阻止部材が、硬質鋼材からなる断面円形状のピンを複数並べてなるので、ドリルの先端がピンの外周に当接すると、硬質かつ曲面となったピン外周により、ドリル先端が外周面に沿って滑り、ピン同士間の密着により形成される湾曲Ｖ溝内に入る。湾曲Ｖ溝内に入ったドリル先端は、今度は溝の延在方向に沿って滑り、ピンを切断できず、結局、穿孔阻止部材、すなわち、防御側板を貫通できない。これにより、錠箱内に通じる貫通孔の穿孔を防止できる。
【００２７】
請求項６記載の錠の防御構造によれば、穿孔阻止部材が、硬質鋼材からなる球体を複数並べてなるので、ドリルの先端が球体の外周に当接すると、硬質かつ球面となった球体外周により、ドリル先端が外周面に沿って滑り、少なくとも３つの球体同士間の密着により形成される湾曲凹部内に入る。湾曲凹部内に入ったドリルが回転されても、ドリル先端に接触する３つの球体がドリルの回転に伴って回転し、球体を切り欠けず、結局、穿孔阻止部材、すなわち、防御側板を貫通できない。これにより、錠箱内に通じる貫通孔の穿孔を防止できる。
【００２８】
請求項７記載の錠の防御構造によれば、穿孔阻止部材が、互いの間隔が密となった線状部材により編成又は織成により略シート状部材に形成されていることから、ドリルの先端が帯板の表面に当接すると、硬質、かつ上下交互に組まれることで強靱となった表面により、ドリル先端が滑り、或いは線状部材同士間の格子凹部すなわち編目や織目内に入る。編目又は織目内に入ったドリルが回転されても、ドリル先端はシート状となった部材を切り欠けず、或いは絡まってしまい、結局、穿孔阻止部材、すなわち、防御側板を貫通できない。これにより、錠箱内に通じる貫通孔の穿孔を防止できる。
【発明を実施するための最良の形態】
【００２９】
以下、本発明に係る錠の防御構造の好適な実施の形態を図面を参照して詳細に説明する。
図１は本発明に係る防御側板を備えた錠の概略側面図、図２は錠箱内の施解錠機構を表した側面図、図３は防御側板の分解斜視図、図４は図３に示した挟持板の斜視図、図５は図４に示した枠板及び穿孔阻止部材の分解斜視図である。
本実施の形態による錠の防御構造１００は、扉の屋外側に設けられる図示しないシリンダ錠からの施解錠操作力の入力によって、錠箱１１内の施解錠機構１３を作動させて図示しない扉枠側のストライクに対しデッドボルト１５を進退させる。
【００３０】
ここで、防御構造１００の要部構成の説明に先立ち錠箱１１について説明する。
錠箱１１は、図２に示す施解錠機構１３を収容する。錠箱１１の前端面には取付板１７が設けられ、取付板１７は扉木口に固定ビス１９によって固定される。取付板１７の表面にはさらに木口に表出するフロントパネル２１が化粧ビス２３によって固定される。これにより、錠箱１１は、扉木口でフロントパネル２１によって覆われ、フロントパネル２１に形成されたデッドボルト出入口２１ａからデッドボルト１５を進退させることになる。
【００３１】
ダルマ軸２５の一端側には扉の室外面側（図２の紙面表面側）に設けられる例えばシリンダ錠の連結部、所謂テールピースが係合される。また、ダルマ軸２５の他端側には扉の室内面側（図２の紙面背面側）に設けられるサムターンが嵌入される。ダルマ軸２５には半径方向外側に突出する押杆２７が設けられ、押杆２７の先端は支持軸２９に支持された揺動バネ３１に連結されている。したがって、ダルマ軸２５は、揺動バネ３１によって例えば９０°の回転角度範囲のいずれか一方側に寄せられるよう回動付勢される。
【００３２】
錠箱１１内には支持部材であるガイド手段３３が突設され、ガイド手段３３はデッドボルト１５に形成された図示しない凹溝をガイドする。デッドボルト１５は、上記の押杆２７に、後部切欠１５ａが押圧されることで、錠箱１１外へと突出される。突出されたデッドボルト１５は、ストッパー軸３５によって基端を揺動自在に支持したストッパー３７が、ストッパーバネ３９の付勢力で回動係止されることで、後退が規制されるようになっている。
【００３３】
ダルマ軸２５は、デッドボルト１５が突出された状態で、図２の反時計回りに回転されることにより、押杆２７を介してデッドボルト１５の後部切欠１５ａを押圧して、デッドボルト１５を後退（図２の右側へ移動）させる。この際、同時に揺動バネ３１が解除片４１を介してストッパー３７を押下し、ストッパー３７とデッドボルト１５との係合状態を解除する。なお、図２中、４３はノブ軸、４５はノブ軸４３の時計回りの回転によって錠箱１１内に後退されるラッチボルトを示す。
【００３４】
錠箱１１は、扉４７の図示しない屋外板と施解錠機構１３との間に防御側板５１を備えている。防御側板５１は、錠箱１１の側板に貼着するもの、或いは錠箱１１の側板自体、すなわち側板を兼ねるものであってもよい。本実施の形態では、錠箱１１の側板自体が防御側板５１からなる場合を説明する。防御側板５１は、図３に示すように、デッドボルト１５の移動軌跡と重なる領域及びこのデッドボルトとシリンダ錠との連動連結部分となる施解錠機構の一部と重なる領域に中空部５３ａを有する枠板５３と、この枠板５３を表裏から挟む一対の挟持板５５ａ，５５ｂとからなる。
【００３５】
中空部５３ａは、デッドボルト１５の移動軌跡と重なる領域であり、かつ、このデッドボルト１５とシリンダ錠とを連動連結する施解錠機構の一部である押杆２７のデッドボルト接触部（切欠１５ａ等）、揺動バネ３１、解除片４１、ストッパー３７とデッドボルト１５の接触部とも重なっている。つまり、これらの各部位は、中空部５３ａの輪郭内側に位置している。
【００３６】
枠板５３、挟持板５５ａ，５５ｂは、図３、図４に示すように、シリンダ錠用の取付穴５７を有する。なお、本実施の形態において、挟持板５５ａ，５５ｂは、同一形状のものが使用される。また、挟持板５５ａ，５５ｂは、後述する枠板５３の突起に嵌合する複数の嵌合穴６１が、中空部５３ａの輪郭に沿ってその外側に穿設されている。また、嵌合穴６１は、挟持板５５ａ，５５ｂの四隅にも穿設されている。また、挟持板５５ａ，５５ｂ、枠板５３には、取付穴５７近傍に、取付位置決め用の貫通穴６３が穿設されている。なお、挟持板５５ａ，５５ｂには、図示しないが、枠板５３とともに積層状態として錠箱１１へビス固定するためのビス穴を備えることとしてもよい。
【００３７】
枠板５３の中空部５３ａには、穿孔阻止部材６５が収容される。本実施の形態において、穿孔阻止部材６５は、硬質鋼材からなる断面円形状のピン６７を複数並べてなる。本実施の形態では、長手方向を横方向にしたピン６７を上下方向に並べている。ピン６７に用いられる硬質鋼材としては、例えば、耐摩耗性が良好で、ロックウェル硬さがロックウェルＣスケールで５５ＨＲｃ以上となり、真空焼き入れ、焼き戻しされたＳＵＪ２（高炭素クロム軸受鋼）等が好適となる。
【００３８】
図５に示すように、中空部５３ａが切欠部５３ｂ等を有しているときには、その部位に相当する異なる長さのピン６７が挿入される。このピン６７の直径は、枠板５３の板厚と略一致している。そして、防御側板５１は、挟持板５５ａ，５５ｂ、枠板５３の厚みを組み合わせることで、種々の厚みのものに形成することができる。
例えば、
挟持板５５ｂ：枠板５３：挟持板５５ａ：合計厚さ：ピン６７の直径
０．３ｍｍ：１．０ｍｍ：０．３ｍｍ：１．６ｍｍ：１．０ｍｍ
０．３ｍｍ：１．０ｍｍ：０．４ｍｍ：１．７ｍｍ：１．０ｍｍ
０．４ｍｍ：１．０ｍｍ：０．４ｍｍ：１．８ｍｍ：１．０ｍｍ
０．３ｍｍ：１．２ｍｍ：０．３ｍｍ：１．８ｍｍ：１．２ｍｍ
０．３ｍｍ：１．２ｍｍ：０．４ｍｍ：１．９ｍｍ：１．２ｍｍ
０．４ｍｍ：１．２ｍｍ：０．４ｍｍ：２．０ｍｍ：１．２ｍｍ
とすることができる。すなわち、被取付体となる扉や錠箱の厚さ寸法に合せて組み合わせが可能となっている。
【００３９】
また、枠板５３には、中空部５３ａの外側に輪郭に沿って複数の突起６９が設けられている。突起６９は、連続方向で、枠板５３自体の表裏面方向に互い違いになるよう突出し、挟持板５５ａ又は挟持板５５ｂに向かって交互に突出するようになっている。この突起６９は、挟持板５５ａ，５５ｂの嵌合穴６１にそれぞれ嵌合する。挟持板５５ａ，５５ｂと枠板５３とは、中空部５３ａに穿孔阻止部材６５を装填した状態で、嵌合穴６１に嵌合された突起６９の先端が反対側の面で加締められることで、３層に積層された一体の積層板、すなわち、防御側板５１となる。
【００４０】
この防御構造１００では、不図示のドリルによって、扉４７の扉屋外板に孔が開けられ、挟持板５５ａを貫通した後、先端がピン６７の外周に当接すると、硬質かつ曲面となったピン外周により、ドリル先端が外周面に沿って滑り、ピン同士間の密着により形成される湾曲Ｖ溝内に入る。湾曲Ｖ溝内に入ったドリル先端は、今度は溝の延在方向に沿って滑り、ピン６７を切断できず、結局、穿孔阻止部材６５、すなわち、防御構造１００を貫通できない。また、ドリルをピン６７に直交させて破ろうとしても、ピン同士が密着し、かつピン６７が硬質であることから、時間を要することとなり、防犯対策として十分なものとなる。
【００４１】
図６は第１の実施の形態の変形例１を表す側面図、図７は第１の実施の形態の変形例２を表す側面図である。
なお、穿孔阻止部材６５Ａは、図６に示すように、ピン６７を長手方向が上下方向となるようにして並べられても良い。
【００４２】
また、穿孔阻止部材６５Ｂは、図７に示すように、ダルマ軸２５を略中心とする同心円弧形状のピン６７Ａを並べても良い。
【００４３】
この防御構造１００によれば、錠箱１１が、扉屋外板と施解錠機構１３との間に防御側板５１を備え、防御側板５１が、デッドボルト１５の移動軌跡と重なる領域及びこのデッドボルトとシリンダ錠との連動連結部分となる施解錠機構の一部と重なる領域に穿孔阻止部材６５を備えるので、カム送りのための貫通孔を穿孔するために、扉屋外板にドリルで切り込みを入れ、ドリル先端が防御側板５１に達すると、屋外側の挟持板５５ａを貫通した後、穿孔阻止部材６５に当接し、穿孔阻止部材６５によってそれ以上の孔開けが阻止される。
【００４４】
すなわち、穿孔阻止部材６５が、硬質鋼材からなる断面円形状のピン６７を複数並べてなるので、ドリルの先端がピン６７の外周に当接すると、硬質かつ曲面となったピン外周により、ドリル先端が外周面に沿って滑り、ピン同士間の密着により形成される湾曲Ｖ溝内に入る。湾曲Ｖ溝内に入ったドリル先端は、今度は溝の延在方向に沿って滑り、ピン６７を切断できず、結局、穿孔阻止部材６５、すなわち、防御側板５１を貫通できない。これにより、錠箱１１内に通じる貫通孔の穿孔を防止できる。この結果、ドリルにより開けられた貫通孔を利用して、錠箱１１内の施解錠機構１３を作動させる不正な解錠操作、所謂カム送りを阻止でき、施錠装置の防犯性を向上させることができる。
なお、これらの変形例１，２と上述の第１の実施の形態とをそれぞれ組み合わせることとしてもよく、すなわち、ピン６７の長手方向が交差するように層状に重ねて構成することとしてもよい。このようにピン６７の延在方向を異なるよう構成することで、より強固な専横阻止部材６５を構成できる。
【００４５】
次に、本発明に係る錠の防御構造の第２の実施の形態を説明する。
図８は第２の実施の形態による防御構造の側面図である。
この防御構造２００は、防御側板５１Ｃの穿孔阻止部材６５Ｃが、硬質鋼材からなる球体７１を複数並べてなる。球体７１は、直径が枠板５３の板厚と略同一となる。複数の球体７１は、中空部５３ａ内に上下左右に接触した状態で密となって収容充填される。
【００４６】
この防御構造２００によれば、穿孔阻止部材６５Ｃが、硬質鋼材からなる球体７１を複数並べてなるので、ドリルの先端が球体７１の外周に当接すると、硬質かつ球面となった球体外周により、ドリル先端が外周面に沿って滑り、少なくとも３つの球体同士間の密着により形成される湾曲凹部内に入る。湾曲凹部内に入ったドリルが回転されても、ドリル先端に接触する３つの球体７１がドリルの回転に伴って回転し、球体７１を切り欠けず、結局、穿孔阻止部材６５Ｃ、すなわち、防御側板５１Ｃを貫通できない。これにより、錠箱１１内に通じる貫通孔の穿孔を防止できる。
【００４７】
次に、本発明に係る防御構造の第３の実施の形態を説明する。
図９は第３の実施の形態による防御構造の側面図である。
この防御構造３００は、防御側板５１Ｄの穿孔阻止部材６５Ｄが、硬質鋼材からなる複数の交差する線状部材７３を上下交互に組んで、すなわち織成して略シート状部材７５を構成してなる。線状部材７３により組まれたシート状部材７５の厚みは、枠板５３の板厚と略同一となる。
【００４８】
したがって、この防御構造３００によれば、穿孔阻止部材６５Ｄが、硬質鋼材からなる複数交差する線状部材７３を上下交互に組んで織成されシート状部材７５とされるので、ドリルの先端がシート状部材７５の表面に当接すると、硬質、かつ上下交互に組まれることで波状に曲面となった線状部材表面により、ドリル先端が湾曲表面に沿って滑り、また４つの線状部材同士間の織目格子凹部内に入る。格子凹部内に入ったドリルが回転されても、ドリル先端が格子凹部の内面、すなわち、密に織り組まれた表面を切り欠けず、結局、穿孔阻止部材６５Ｄ、すなわち、防御側板５１Ｄを貫通できない。これにより、錠箱１１内に通じる貫通孔の穿孔を防止できる。また、複数の線状部材７３によって織成されてなるシート状部材７５にて穿孔阻止部材６５Ｄを構成しているので、挟持板５５ａが大きく欠損されても、穿孔阻止部材６５Ｄが簡単に中空部５３ａから脱落することがない。
【図面の簡単な説明】
【００４９】
【図１】本発明に係る防御側板を備えた錠の概略側面図である。
【図２】錠箱の施解錠機構を表した側面図である。
【図３】防御側板の分解斜視図である。
【図４】図３に示した挟持板の斜視図である。
【図５】図４に示した枠板及び穿孔阻止部材の分解斜視図である。
【図６】第１の実施の形態の変形例１を表す側面図である。
【図７】第１の実施の形態の変形例２を表す側面図である。
【図８】第２の実施の形態による防御構造の側面図である。
【図９】第３の実施の形態による防御構造の側面図である。
【符号の説明】
【００５０】
１１…錠箱
１３…施解錠機構
１５…デッドボルト
５１，５１Ｃ，５１Ｄ…防御側板
５３…枠板
５３ａ…中空部
５５ａ，５５ｂ…挟持板
６５，６５Ｃ，６５Ｄ…穿孔阻止部材
６７…ピン
７１…球体
７３…線状部材
７５…シート状部材
１００，２００，３００…錠の防御構造
【図１】
2007231568.tif 000003
【図２】
2007231568.tif 000004
【図３】
2007231568.tif 000005
【図４】
2007231568.tif 000006
【図５】
2007231568.tif 000007
【図６】
2007231568.tif 000008
【図７】
2007231568.tif 000009
【図８】
2007231568.tif 000010
【図９】
2007231568.tif 000011